(57)【特許請求の範囲】
【請求項１】
イヤホンをイヤホンアンテナとして機能させる受信機において、
上記イヤホンのイヤホンケーブルが受信した放送波信号が供給されてオーディオ信号を出力する受信回路と、
イヤホンプラグが差し込まれるイヤホンジャックと、
上記イヤホンがステレオ用であるかモノラル用であるかを検出する第１の検出回路と、
上記イヤホンが接続されているか否かを検出する第２の検出回路と
を有し、
上記イヤホンジャックは、
アンテナ用の端子と、
左および右チャンネルの各オーディオ用端子と、
第１および第２の検出用端子と、
接地用端子と
を有し、
上記アンテナ用の端子は、カップリングコンデンサを通じて上記受信回路のアンテナ入力端に接続され、
上記左および右チャンネルの各オーディオ用端子は、第１および第２の高周波チョークコイルを通じて上記受信回路のオーディオ出力端にそれぞれ接続され、
上記第１および第２の検出用端子は、第３および第４の高周波チョークコイルを通じて上記第１および第２の検出回路の入力端にそれぞれ接続されるとともに、
上記第１および第２の検出用端子の少なくとも一方がバイパスコンデンサを通じて接地に接続され、
上記接地用端子が接地に接続され、
上記イヤホンケーブルが受信した放送波信号が、上記アンテナ用の端子および上記カップリングコンデンサを通じて上記受信回路に供給されるとともに、
上記第１および第２の検出用端子の少なくとも一方が上記バイパスコンデンサを通じて高周波的に接地される
ようにした受信機。
【請求項２】
請求項１に記載の受信機において、
上記アンテナ用の端子が第５の高周波チョークコイルを通じて接地に接続されている
ようにした受信機。
【請求項３】
請求項１に記載の受信機において、
上記放送波信号が、ＦＭ放送および地上波デジタルテレビ放送の受信信号である
ようにした受信機。
【請求項４】
請求項３に記載の受信機において、
受信感度のディップが、上記ＦＭ放送の周波数帯および上記地上波デジタルテレビ放送の周波数帯の間に位置するように、上記バイパスコンデンサの値が選択されている
ようにした受信機。
【請求項５】
イヤホンプラグが、
アンテナ用の端子と、
左および右チャンネルの各オーディオ用端子と、
イヤホンがステレオ用であるかモノラル用であるかを検出するための第１の検出用端子と、
上記イヤホンが接続されているか否かを検出するための第２の検出用端子と、
接地用端子と
を有し、
上記イヤホンがステレオイヤホンのときには、上記第１の検出用端子と、上記第２の検出用端子と、上記接地用端子とが接続され、
上記イヤホンがモノラルイヤホンのときには、上記第２の検出用端子と、上記接地用端子とが接続されている場合に、
上記イヤホンをイヤホンアンテナとして機能させる受信機において、
上記イヤホンのイヤホンケーブルが受信した放送波信号が供給されてオーディオ信号を出力する受信回路と、
上記イヤホンプラグが差し込まれるイヤホンジャックと、
第１および第２の検出回路と
を有し、
上記イヤホンジャックは、上記イヤホンプラグの各端子に対応して、
アンテナ用の端子と、
左および右チャンネルの各オーディオ用端子と、
第１および第２の検出用端子と、
接地用端子と
を有し、
上記イヤホンジャックの端子のうち、
上記アンテナ用の端子は、カップリングコンデンサを通じて上記受信回路のアンテナ入力端に接続され、
上記左および右チャンネルの各オーディオ用端子は、第１および第２の高周波チョークコイルを通じて上記受信回路のオーディオ出力端にそれぞれ接続され、
上記第１および第２の検出用端子は、第３および第４の高周波チョークコイルを通じて上記第１および第２の検出回路の入力端にそれぞれ接続されるとともに、
上記第１および第２の検出用端子の少なくとも一方がバイパスコンデンサを通じて接地に接続され、
上記接地用端子が接地に接続され、
上記イヤホンケーブルが受信した放送波信号が、上記アンテナ用の端子および上記カップリングコンデンサを通じて上記受信回路に供給されるとともに、
上記第１および第２の検出用端子の少なくとも一方が上記バイパスコンデンサを通じて高周波的に接地される
ようにした受信機。
【発明の詳細な説明】
【技術分野】
【０００１】
この発明は、受信機、特にイヤホンをアンテナとしても機能させるようにした受信機に関する。
【背景技術】
【０００２】
携帯型のＦＭ受信機において、イヤホンアンテナと呼ばれ、イヤホン（ヘッドホン）のケーブルをアンテナとして機能させる技術が知られている。このイヤホンアンテナをＦＭ受信機に用意すれば、ＦＭ放送をイヤホンにより聴取する場合に、ロッドアンテナ引き延ばす必要がなく、電車の中などでも手軽にＦＭ放送を聴くことができる。
【０００３】
また、地上波デジタルテレビ放送は、ゴーストの影響を受けにくいので、携帯型の受信機を構成することができ、あるいは携帯電話機に地上波デジタルテレビ放送の受信回路を内蔵させることができるが、これらの場合も、受信アンテナをイヤホンアンテナとすることにより、テレビ放送を手軽に視聴することができる。
【０００４】
そして、地上波デジタルテレビ放送の受信回路を内蔵した携帯電話機にイヤホンアンテナを使用する場合、そのイヤホンアンテナは例えば図３に示すように構成される。
【０００５】
すなわち、図３において、符号１０はステレオイヤホン、符号２０はモノラルイヤホン、符号３０は携帯電話機を示す。そして、ステレオイヤホン１０は、左および右チャンネルのイヤホンユニット（電気音響変換素子）１１Ｌ、１１Ｒと、中間ユニット１３との間が、ケーブル１２Ｌ、１２Ｒにより接続され、中間ユニット１３とイヤホンプラグ１５との間がケーブル１４により接続されている。
【０００６】
この場合、ケーブル１２Ｌ、１２Ｒはそれぞれ２芯ケーブルとされるが、このケーブル１２Ｌ、１２Ｒが放送受信用のアンテナの実効部分として作用するものである。また、中間ユニット１３は、カップリングコンデンサＣ11、Ｃ12と高周波チョークコイルＬ11、Ｌ12とを有する。
【０００７】
さらに、ケーブル１４は、同軸ケーブル１４Ａと、２本のケーブル１４Ｌ、１４Ｒとを１本にまとめたものであり、イヤホンプラグ１５は、１０個の端子（接点）Ａ〜Ｊを有する。なお、後述するように、携帯電話機３０には、イヤホンプラグ１５に対応するイヤホンジャック３１が設けられているが、これらプラグ１５およびジャック３１の端子Ａ〜Ｊは、規格化されているものであり、メーカ各社に共通である。
【０００８】
そして、イヤホンユニット１１Ｌ、１１Ｒの各一端は、ケーブル１２Ｌ、１２Ｒの各一方を通じて中間ユニット１３に至り、ここで共通に接続され、さらに、同軸ケーブル１４Ａの中心導線を通じてプラグ１５の端子Ａに接続されている。また、イヤホンユニット１１Ｌ、１１Ｒの各他端は、ケーブル１２Ｌ、１２Ｒの各他方を通じて中間ユニット１３に至り、さらに、高周波チョークコイルＬ11、Ｌ12およびケーブル１４Ｌ、１４Ｒを通じてプラグ１５の端子Ｄ、Ｅにそれぞれ接続されている。
【０００９】
さらに、コンデンサＣ11は、ケーブル１２Ｌの一方および他方の間に接続され、コンデンサＣ12は、ケーブル１２Ｒの一方および他方の間に接続されている。また、プラグ１５において、同軸ケーブル１４Ａのシールド外皮が端子Ｊに接続され、端子Ｆと端子Ｊとが接続されるとともに、イヤホン１０がステレオ用なので、端子Ｃと端子Ｊとが接続されている。
【００１０】
また、モノラルイヤホン２０もステレオイヤホン１０の右チャンネルと同様に構成されている。ただし、プラグ１５においては、端子Ｆと端子Ｊとが接続されるが、イヤホン２０はモノラル用なので、端子Ｃと端子Ｊとは接続されていない。
【００１１】
そして、上述のように、プラグ１５およびイヤホンジャック３１の端子Ａ〜Ｊは、規格化されているが、その機能・用途は、図４に示すように規定されている。
【００１２】
すなわち、プラグ１５およびジャック３１の端子Ａ〜Ｊのうち、端子Ａはアンテナ用とされ、端子Ｃはイヤホンがステレオ用であるかモノラル用であるかを検出するためのものとされている。また、端子ＤおよびＥは、右および左チャンネルのオーディオ信号用とされ、端子Ｆは、イヤホンジャックにプラグ１５が差し込まれているか否かの検出用とされ、端子Ｊは接地用とされている。そして、残る端子Ｂ、Ｇ〜Ｉは無接続とされている。
【００１３】
そして、ジャック３１にステレオイヤホン１０のプラグ１５が差し込まれた場合には、ＦＭ放送および地上波デジタルテレビ放送の放送波が、ケーブル１２Ｌ、１２Ｒにより受信され、この受信された放送波信号が、ケーブル１２Ｌ、１２Ｒ（あるいはケーブル１２Ｌ、１２Ｒ→コンデンサＣ11、Ｃ12）→同軸ケーブル１４Ａの中心導線→プラグ１５の端子Ａ→ジャック３１の端子Ａの信号ラインを通じて携帯電話機３０に供給される。
【００１４】
なお、この場合、同軸ケーブル１４Ａのシールド外皮が、プラグ１５の端子Ｊおよびジャック３１の端子Ｊを通じて携帯電話機３０の接地に接続される。また、このとき、ケーブル１２Ｌ、１２Ｒには、高周波チョークコイルＬ11、Ｌ12が接続されているので、ケーブル１２Ｌ、１２Ｒの受信した放送波信号がプラグ１５の端子Ｅ、Ｄにリークすることはない。したがって、ＦＭ放送あるいは地上波デジタルテレビ放送を受信することができる。
【００１５】
そして、この放送の受信により得られた左および右チャンネルのオーディオ信号Ｌ、Ｒが、ジャック３１の端子Ｅ、Ｄ→プラグ１５の端子Ｅ、Ｄ→高周波チョークコイルＬ11、Ｌ12→ケーブル１２Ｌ、１２Ｒのラインを通じてイヤホンユニット１１Ｌ、１１Ｒに供給される。また、このとき、イヤホンユニット１１Ｌ、１１Ｒ→ケーブル１２Ｌ、１２Ｒ→同軸ケーブル１４Ａの中心導線→プラグ１５の端子Ａ→ジャック３１の端子Ａ→高周波チョークコイルＬ35→接地のラインが、リターンパスとなる。
【００１６】
また、ジャック３１にモノラルイヤホン２０のプラグ１５が差し込まれた場合にも、ステレオイヤホン１０の場合と同様にしてＦＭ放送あるいは地上波デジタルテレビ放送が受信され、その受信された放送をイヤホン２０によりにより聴取することができる。
【００１７】
なお、ジャック３１にステレオイヤホン１０のプラグ１５が差し込まれている場合には、ジャック３１の端子Ｃは、プラグ１５の端子Ｃ、Ｊを通じて接地されるが、ジャック３１にモノラルイヤホン２０のプラグ１５が差し込まれている場合には、ジャック３１の端子Ｃは開放される。したがって、ジャック３１の端子Ｃの直流電位により、ジャック３１に接続されているイヤホンが、ステレオイヤホン１０であるかモノラルイヤホン２０であるかを検出することができる。
【００１８】
また、ジャック３１にイヤホン１０あるいは２０のプラグ１５が差し込まれている場合には、ジャック３１の端子Ｆは、プラグ１５の端子Ｆ、Ｊを通じて接地されるが、ジャック３１にイヤホン１０および２０のプラグ１５が差し込まれていない場合には、ジャック３１の端子Ｆは開放される。したがって、ジャック３１の端子Ｆの直流電位により、ジャック３１にイヤホン１０、２０が接続されているか否かを検出することができる。
【００１９】
こうして、図３に示すイヤホン１０、２０によれば、イヤホン１０、２０をＦＭ放送および地上波デジタルテレビ放送の受信アンテナとしても使用することができる。
【００２０】
なお、先行技術文献として例えば以下のものがある。
【特許文献１】特開２００３−１６３５２９号公報
【特許文献２】特開２００４−２６６４３４号公報
【特許文献３】特開２００４−２７４３５６号公報
【特許文献４】特開２００５−６４７４２号公報
【発明の開示】
【発明が解決しようとする課題】
【００２１】
ところが、イヤホンプラグ１５およびイヤホンジャック３１が上記のような構成および規格とされているので、携帯電話機３０に地上波デジタルテレビ放送の受信回路を内蔵させた場合、アンテナとしての受信感度が低下する傾向にある。
【００２２】
すなわち、図５にも示すように、ジャック３１は携帯電話機３０のプリント配線基板３９に取り付けられているが、このとき、ジャック３１の端子Ａ〜Ｊは、その一部が延長されてリード線３１Ａ〜３１Ｊとされ、このリード線３１Ａ〜３１Ｊがプリント配線基板３９の配線パターン３９Ａ〜３９Ｊにそれぞれハンダ付けされている。この場合、端子Ｊのリード線３１Ｊがハンダ付けされている配線パターン３９Ｊが接地パターンである。
【００２３】
しかし、ジャック３１は、全体が偏平で、10mm×５mm程度の大きさであり、したがって、端子Ａ〜Ｊのリード線３１Ａ〜３１Ｊはかなり細いものとなっている。また、同軸ケーブル１４Ａからの放送波信号は端子Ａに供給されるが、この端子Ａは接地用端子Ｊから離れているので、アンテナに対する接地の効果が弱くなる。さらに、地上波デジタルテレビ放送は、ＵＨＦ帯のうちの周波数470ＭHz〜770ＭHzの帯域が割り当てられている。
【００２４】
これらの結果、端子Ｊおよびリード線３１Ｊが、地上波デジタルテレビ放送の放送波信号に対してインダクタンス性のインピーダンスを示すようになり、このインピーダンス分によりその放送波信号に伝送損失を生じてしまう。すなわち、受信感度が低下してしまう。
【００２５】
この場合、残る端子Ｂ、Ｇ〜Ｉも端子Ｊと同様に、同軸ケーブル１４Ａの接地に使用すれば、インピーダンスを減らすことができ、伝送損失を低減することができる。しかし、プラグ１５およびジャック３１は、その規格上、端子Ｂ、Ｇ〜Ｉをかってな用途に使用することはできない。
【００２６】
この発明は、このような問題点を解決しようとするものである。
【課題を解決するための手段】
【００２７】
この発明においては、
イヤホンをイヤホンアンテナとして機能させる受信機において、
上記イヤホンのイヤホンケーブルが受信した放送波信号が供給されてオーディオ信号を出力する受信回路と、
イヤホンプラグが差し込まれるイヤホンジャックと、
上記イヤホンがステレオ用であるかモノラル用であるかを検出する第１の検出回路と、
上記イヤホンが接続されているか否かを検出する第２の検出回路と
を有し、
上記イヤホンジャックは、
アンテナ用の端子と、
左および右チャンネルの各オーディオ用端子と、
第１および第２の検出用端子と、
接地用端子と
を有し、
上記アンテナ用の端子は、カップリングコンデンサを通じて上記受信回路のアンテナ入力端に接続され、
上記左および右チャンネルの各オーディオ用端子は、第１および第２の高周波チョークコイルを通じて上記受信回路のオーディオ出力端にそれぞれ接続され、
上記第１および第２の検出用端子は、第３および第４の高周波チョークコイルを通じて上記第１および第２の検出回路の入力端にそれぞれ接続されるとともに、
上記第１および第２の検出用端子の少なくとも一方がバイパスコンデンサを通じて接地に接続され、
上記接地用端子が接地に接続され、
上記イヤホンケーブルが受信した放送波信号が、上記アンテナ用の端子および上記カップリングコンデンサを通じて上記受信回路に供給されるとともに、
上記第１および第２の検出用端子の少なくとも一方が上記バイパスコンデンサを通じて高周波的に接地される
ようにした受信機
とするものである。
【発明の効果】
【００２８】
この発明によれば、伝送損失が大幅に減少し、受信感度の低下を抑えることができる。また、伝送損失が少ないだけでなく、周波数にかかわらずほぼ一定となって受信感度にむらを生じることがない。さらに、イヤホンプラグおよびイヤホンジャックのよけいな端子を使用する必要もない。
【発明を実施するための最良の形態】
【００２９】
図１は、この発明を、携帯電話機に内蔵した受信回路に適用した場合の一形態を示す。そして、図１においては、ステレオイヤホン１０およびモノラルイヤホン２０が、図３のものに比べ、簡略化されている場合である。
【００３０】
すなわち、ステレオイヤホン１０は、左および右チャンネルのイヤホンユニット１１Ｌ、１１Ｒと、中間ユニット１３との間が、ケーブル１２Ｌ、１２Ｒにより接続され、中間ユニット１３とイヤホンプラグ１５との間がケーブル１４により接続されている。
【００３１】
この場合、ケーブル１２Ｌ、１２Ｒはそれぞれ２芯ケーブルとされるが、このケーブル１２Ｌ、１２Ｒが放送受信用のアンテナの実効部分として作用するものである。また、ケーブル１４は、３本の信号導線１４Ｃ、１４Ｌ、１４Ｒを有し、これら信号導線１４Ｃ〜１４Ｒを中心導線とし、シールド外皮１４Ｓが覆うことにより、全体が同軸ケーブルに構成されている。そして、中間ユニット１３において、ケーブル１２Ｌの一方と、ケーブル１２Ｒの一方とが共通に接続されるとともに、信号導線１４Ｃの一端に接続され、ケーブル１２Ｌ、ケーブル１２Ｒの各他方が信号導線１４Ｌ、１４Ｒの各一端に接続されている。なお、シールド外皮１４Ｓの一端はどこにも接続されない。
【００３２】
さらに、イヤホンプラグ１５は、上述のように１０個の端子Ａ〜Ｊを有するが、カップリングコンデンサＣ11、Ｃ12と、例えばフェライトビーズにより構成された高周波チョークコイルＬ13とを内蔵している。そして、このプラグ１５の内部において、信号導線１４Ｃ、１４Ｒ、１４Ｌの各他端が、端子Ａ、Ｄ、Ｅに接続され、シールド外皮１４Ｓの他端が端子Ｊに接続されている。また、端子Ａと端子Ｄとの間に、コンデンサＣ12が接続され、端子Ｄと端子Ｅとの間に、コンデンサＣ11が接続され、端子Ａと端子Ｃとの間に、高周波チョークコイルＬ13が接続されている。さらに、端子Ｆと端子Ｊとが接続されるとともに、イヤホン１０がステレオ用なので、端子Ｃと端子Ｊとが接続されている。
【００３３】
また、モノラルイヤホン２０もステレオイヤホン１０の右チャンネルと同様に構成されている。ただし、プラグ１５においては、端子Ｆと端子Ｊとが接続されるが、イヤホン２０はモノラル用なので、端子Ｃと端子Ｊとは接続されていない。
【００３４】
一方、携帯電話機３０は、イヤホンジャック３１を有するとともに、さらに、ＦＭ放送および地上波デジタルテレビ放送を受信する受信回路３２と、マイクロコンピュータにより構成されたシステムコントロール回路３３とを有する。この場合、受信回路３２は、システムコントロール回路３３により制御され、ＦＭ放送および地上波デジタルテレビ放送の受信バンドを選択できるとともに、その選択した受信バンドにおける任意の放送（チャンネル）を選局できるものである。そして、受信回路３２は、ステレオあるいはモノラルのオーディオ信号Ｌ、Ｒを出力するとともに、テレビ放送の選択時には、その映像をディスプレイ（図示せず）に表示するものである。
【００３５】
このため、受信回路３２とシステムコントロール回路３３との間で、各種のデータおよびコマンドがやりとりされる。また、システムコントロール回路３３には、バンド切り換えスイッチや選局スイッチなど各種の操作スイッチ３４が接続されている。
【００３６】
そして、ジャック３１のアンテナ用端子Ａが、カップリングコンデンサＣ35を通じて受信回路３２のアンテナ入力端に接続されるとともに、その端子Ａと接地との間に高周波チョークコイルＬ35が接続される。また、受信回路３２の左および右チャンネルのオーディオ出力端が、高周波チョークコイルＬ31、Ｌ32を通じてジャック３１のオーディオ用端子Ｅ、Ｄに接続される。
【００３７】
さらに、検出回路３５、３６が設けられ、ジャック３１の検出用端子Ｃ、Ｆが、高周波チョークコイルＬ33、Ｌ34を通じて検出回路３５、３６の入力端に接続されるとともに、その検出出力がシステムコントロール回路３３に供給される。また、ジャック３１の端子Ｃ、Ｆと、接地との間に、バイパスコンデンサＣ33、Ｃ34が接続される。さらに、ジャック３１の端子Ｊが接地に接続される。なお、検出回路３５、３６の入力端は、図示はしないがプルアップされているものとする。
【００３８】
このような構成によれば、ジャック３１にステレオイヤホン１０のプラグ１５が差し込まれている場合には、ジャック３１の端子Ｃは、プラグ１５の端子Ｃ、Ｊを通じて接地されるので、その直流電位は“Ｌ”である。しかし、ジャック３１にモノラルイヤホン２０のプラグ１５が差し込まれている場合には、ジャック３１の端子Ｃは開放されるので、その直流電位は“Ｈ”である。
【００３９】
そして、このジャック３１の端子Ｃの直流電位が、高周波チョークコイルＬ33を通じて検出回路３５により検出され、その検出出力がシステムコントロール回路３３に供給される。したがって、システムコントロール回路３３は、ジャック３１にステレオイヤホン１０が接続されているのかモノラルイヤホン２０が接続されているのかを知ることができる。この結果、受信回路３２から出力されるオーディオ信号Ｌ、Ｒをステレオあるいはモノラルに切り換えることができる。
【００４０】
そして、ジャック３１にステレオイヤホン１０のプラグ１５が差し込まれている場合には、ＦＭ放送および地上波デジタルテレビ放送の放送波が、ケーブル１２Ｌ、１２Ｒにより受信され、この受信された放送波信号が、ケーブル１２Ｌ、１２Ｒ→信号導線１４Ｃ、１４Ｌ、１４Ｒ→（およびコンデンサＣ11、Ｃ12→）プラグ１５の端子Ａ→ジャック３１の端子Ａ→コンデンサＣ35の信号ラインを通じて受信回路３２に供給される。
【００４１】
また、同軸ケーブル１４のシールド外皮１４Ｓが、プラグ１５の端子Ｊ→ジャック３１の端子Ｊのラインを通じて接地されるとともに、プラグ１５の端子Ｃ、Ｆ→ジャック３１の端子Ｃ、Ｆ→コンデンサＣ33、Ｃ34のラインを通じて接地される。なお、このとき、ジャック３１の端子Ｅ、Ｄには、高周波チョークコイルＬ31、Ｌ32が接続されているので、ケーブル１２Ｌ、１２Ｒの受信した放送波信号がジャック３１の端子Ｅ、Ｄから受信回路３２にリークすることはない。
【００４２】
この結果、操作スイッチ３４を操作すると、ＦＭ放送あるいは地上波デジタルテレビ放送が選択されるとともに、チャンネルが選局され、受信回路３２からは目的とする放送のオーディオ信号Ｌ、Ｒが出力される。
【００４３】
そして、このオーディオ信号Ｌ、Ｒが、高周波チョークコイルＬ31、Ｌ32→ジャック３１の端子Ｅ、Ｄ→プラグ１５の端子Ｅ、Ｄ→信号導線１４Ｌ、１４Ｒ→ケーブル１２Ｌ、１２Ｒのラインを通じてイヤホンユニット１１Ｌ、１１Ｒに供給される。
【００４４】
このとき、イヤホンユニット１１Ｌ、１１Ｒ→ケーブル１２Ｌ、１２Ｒ→信号導線１４Ｃ→高周波チョークコイルＬ13→プラグ１５の端子Ｊ→ジャック３１の端子Ｊ→接地のラインが、リターンパスとなる。さらに、イヤホンユニット１１Ｌ、１１Ｒ→ケーブル１２Ｌ、１２Ｒ→信号導線１４Ｃ→プラグ１５の端子Ａ→ジャック３１の端子Ａ→高周波チョークコイルＬ35→接地のラインもリターンパスとなる。
【００４５】
したがって、イヤホン１０により放送をステレオで聴取することができる。また、このとき、地上波デジタルテレビ放送を受信しているのであれば、その映像が受信回路３２のディスプレイに表示される。
【００４６】
一方、ジャック３１にモノラルイヤホン２０のプラグ１５が差し込まれた場合には、ＦＭ放送および地上波デジタルテレビ放送の放送波がケーブル１２Ｒにより受信され、この受信された放送波信号が、ケーブル１２Ｒ→信号導線１４Ｃ→プラグ１５の端子Ａ→ジャック３１の端子Ａ→コンデンサＣ35の信号ラインを通じて受信回路３２に供給される。したがって、受信回路３２からは目的とする放送のモノラルオーディオ信号が出力される。
【００４７】
そして、このオーディオ信号が、高周波チョークコイルＬ32→ジャック３１の端子Ｄ→プラグ１５の端子Ｄ→信号導線１４Ｒ→ケーブル１２Ｒのラインを通じてイヤホンユニット１１Ｒに供給される。
【００４８】
このとき、イヤホンユニット１１Ｒ→ケーブル１２Ｒ→信号導線１４Ｃ→高周波チョークコイルＬ13→プラグ１５の端子Ｊ→ジャック３１の端子Ｊ→接地のラインが、リターンパスとなる。さらに、イヤホンユニット１１Ｒ→ケーブル１２Ｒ→信号導線１４Ｃ→プラグ１５の端子Ａ→ジャック３１の端子Ａ→高周波チョークコイルＬ35→接地のラインもリターンパスとなる。
【００４９】
したがって、イヤホン２０により放送をモノラルで聴取することができる。また、このとき、地上波デジタルテレビ放送を受信しているのであれば、その映像が受信回路３２のディスプレイに表示される。
【００５０】
なお、ジャック３１にイヤホン１０、２０のプラグ１５が差し込まれていない場合には、ジャック３１の端子Ｆは開放されているので、その直流電位は“Ｈ”である。しかし、ジャック３１にプラグ１５が差し込まれている場合には、ジャック３１の端子Ｆは、プラグ１５の端子Ｆ、Ｊを通じて接地されるので、その直流電位は“Ｌ”である。
【００５１】
そして、このジャック３１の端子Ｆの直流電位が、高周波チョークコイルＬ34を通じて検出回路３６により検出され、その検出出力がシステムコントロール回路３３に供給される。したがって、システムコントロール回路３３は、ジャック３１にプラグ１５が差し込まれているか否かを知ることができる。
【００５２】
こうして、上述のイヤホン１０、２０および携帯電話機３０によれば、イヤホン１０、２０を受信アンテナとして使用してＦＭ放送および地上波デジタルテレビ放送を視聴することができる。
【００５３】
そして、その場合、同軸ケーブル１４のシールド外皮１４Ｓは、プラグ１５の端子Ｊ→ジャック３１の端子Ｊのラインを通じて接地されるだけでなく、プラグ１５の端子Ｃ、Ｆ→ジャック３１の端子Ｃ、Ｆ→コンデンサＣ33、Ｃ34のラインも通じて高周波的に接地される。また、同軸ケーブル１４から放送波信号が供給される端子Ａに近接した端子Ｃが接地されている。これらの結果、同軸ケーブル１４のシールド外皮１４Ｓと、接地との間のインピーダンスが小さくなり、放送波信号に対する伝送損失が小さくなる。また、これにより受信感度の低下を抑えることができる。
【００５４】
さらに、図３に示すイヤホン１０、２０であっても、イヤホンアンテナとして使用することができる。
【００５５】
図２は、この発明を適用した場合と、適用しない場合とにおける伝送損失（受信感度）の測定結果を示す。ここで、特性Ａは、この発明を適用した場合であり、コンデンサＣ33、Ｃ34の容量をそれぞれ10pFとした場合である。また、特性Ｂは、この発明を適用しない場合であり、コンデンサＣ33、Ｃ34を接続しない場合である。なお、第13チャンネルの下端（周波数470ＭHz）および第62チャンネルの上端（周波数770ＭHz）における損失は、図中に示すとおりである。
【００５６】
この測定結果からも明らかなように、この発明によれば、伝送損失が大幅に減少しているので、受信感度の低下を抑えることができる。また、伝送損失が少ないだけでなく周波数にかかわらずほぼ一定となっているので、受信感度にむらを生じることがなく、例えばＡＧＣを有効にかけることができる。さらに、端子Ｂ、Ｇ〜Ｉを使用する必要もない。また、コンデンサＣ33、Ｃ34を接続するだけでよく、部品点数を少なくできるとともに、実装面積を小さくすることができる。
【００５７】
なお、特性Ａには、周波数ｆr（≒334ＭHz）にディップを生じているが、これは、同軸ケーブル１４と携帯電話機３０の接地との間のインダクタンス分と、コンデンサＣ33、Ｃ34との共振により生じたものである。したがって、コンデンサＣ33、Ｃ34の値を変更すれば、この共振周波数（ディップ周波数）ｆrを変更することができる。
【００５８】
ただし、その場合、コンデンサＣ33、Ｃ34の値を小さくすると、その共振周波数ｆrが地上波デジタルテレビ放送の周波数帯域（第13チャンネル〜第62チャンネル）に近づいてその低域側における感度の低下を招いてしまう。しかし、大きくすると、共振周波数ｆrがＦＭ放送の周波数帯域（76ＭHz〜90ＭHz）に近づいてその高域側における感度の低下を招いてしまう。また、同軸ケーブル１４と携帯電話機３０の接地との間のインダクタンス分は、イヤホンジャック３１のリード線３１Ｃ、３１Ｆ、３１Ｊの形状（長さや幅）やプリント配線基板３９への実装方法によっても異なった値となる。
【００５９】
以上を考慮すると、ＦＭ放送および地上波デジタルテレビ放送を受信する場合、コンデンサＣ33、Ｃ34の値は、それぞれ５pF〜30pFが適切である。
【００６０】
こうして、上述の回路によれば、イヤホンアンテナの受信した放送波信号に対する伝送損失を、大幅に減少させることができ、受信感度の低下を抑えることができる。また、伝送損失が少ないだけでなく周波数にかかわらずほぼ一定とすることができ、受信感度にむらを生じることがない。さらに、端子Ｂ、Ｇ〜Ｉを使用する必要もない。
【００６１】
なお、上述においては、携帯電話機にＦＭ放送および地上波デジタルテレビ放送の受信回路を内蔵させた場合であるが、ＵＨＦ帯の放送、特に地上波デジタルテレビ放送の受信する場合であれば、専用の受信機にもこの発明を適用することができ、その場合、イヤホンアンテナを、図１に示したものをそのまま使用することができる。また、上述において、高周波チョークコイルＬ13、Ｌ35をどちらか一方だけとすることもでき、コンデンサＣ33、Ｃ34もどちらか一方だけとすることもできる。
【００６２】
〔略語の一覧〕
ＡＧＣ：Automatic Gain Control
ＦＭ  ：Frequency Modulation
ＵＨＦ：Ultra High Frequency
【図面の簡単な説明】
【００６３】
【図１】この発明の一形態を示す接続図である。
【図２】測定結果を示す特性図である。
【図３】イヤホンアンテナを説明するための接続図である。
【図４】イヤホンプラグおよびイヤホンジャックに仕様を示す図である。
【図５】イヤホンプラグおよびイヤホンジャックを示す拡大図である。
【符号の説明】
【００６４】
１０…ステレオイヤホン、１１Ｌおよび１１Ｒ…イヤホンユニット、１２Ｌおよび１２Ｒ…ケーブル、１３…中間ユニット、１４…同軸ケーブル、１５…イヤホンプラグ、２０…モノラルイヤホン、３０…携帯電話機、３１…イヤホンジャック、３２…受信回路、３３…システムコントロール回路、３５および３６…検出回路
【図１】
0004569449.tif 000002
【図２】
0004569449.tif 000003
【図３】
0004569449.tif 000004
【図４】
0004569449.tif 000005
【図５】
0004569449.tif 000006